(57)【要約】    【課題】  筐体の内部にアンテナを設置して成る携帯端末を対象とし、アンテナの組み付け作業性が良好であり、併せて筐体の強度を向上させることの可能な携帯端末の提供を目的とする。    【解決手段】  本発明に関わる携帯端末は、筐体の周壁に倣った形状を呈するホルダ部材にアンテナ部材を取り付けるとともに、ホルダ部材を周壁に当接させた状態で筐体の内部に固定することにより、筐体の内部にアンテナ部材を組み付けて成ることを特徴としている。    【選択図】  図４
2006345191.tif 000002
【特許請求の範囲】
【請求項１】
筐体の内部にアンテナ部材を設置して成る携帯端末であって、  前記筐体の周壁に倣った形状を呈するホルダ部材に前記アンテナ部材を取り付けるとともに、前記ホルダ部材を前記筐体に当接させた状態で該筐体の内部に固定することにより、前記筐体の内部に前記アンテナ部材を組み付けて成ることを特徴とする携帯端末。
【発明の詳細な説明】
【技術分野】
【０００１】
本発明は、筐体の内部にアンテナ部材を設置して成る携帯端末に関し、詳しくは上記アンテナ部材の組み付け態様に関するものである。
【背景技術】
【０００２】
例えば、携帯電話機等の携帯端末においては、外観デザインにおける美感の向上等を目的として、通信用のアンテナ部材を、ケーシングの外部に露出させることなく、該ケーシングの内部に収容して設置したものが提供されている。
【０００３】
従前の携帯端末においては、例えばステンレス鋼の薄板から成るアンテナ部材を、ケーシングの所定位置に形成した取付凹部に嵌め込み、焼き止め等の手段によって上記ケーシングに固定設置することで、該ケーシングに対してアンテナ部材を直接に組み付けている。
【０００４】
しかし、上述した従前の携帯端末においては、上記ケーシングのアンテナ部材が組み付けられる部位を補強することが難しいため、例えば落下時等における外部からの負荷に対する強度が不足する不都合があった。
【０００５】
さらに、上述した従前の携帯端末においては、大型のアンテナ部材や複雑な形状のアンテナ部材を採用する場合、ケーシングに取付凹部を形成する製造工程や、ケーシングにアンテナ部材を組み付ける作業工程が、煩雑かつ困難なものとなってしまう不都合があった。
【０００６】
一方、ケーシングの内部にアンテナ部材を設置した従前の携帯端末には、例えば樹脂材料から形成された所定形状の支持体に、接着剤等を用いてアンテナ部材を取り付け、このアンテナ部材の取り付けられた支持体を、ケーシングに収容設置されている回路基板上に固定して、アンテナ部材をケーシングの内部に収容して設置するものが提供されている（例えば、特許文献１参照）。
【特許文献１】特表２００１−５１０２８８号公報
【発明の開示】
【発明が解決しようとする課題】
【０００７】
ところで、上述した如く回路基板上に支持体を介してアンテナ部材を組み付けている携帯端末では、ケーシングに対してアンテナ部材を直接に組み付けている従前の携帯端末に比べ、アンテナ部材の組み付け作業性に関して改善が認められるものの、ケーシングの補強については何ら考慮されていないために、例えば落下時等における外部からの負荷に対する強度が不足する不都合を免れなかった。
【０００８】
本発明の目的は上記実状に鑑みて、筐体の内部にアンテナ部材を設置して成る携帯端末を対象とし、上記アンテナ部材の組み付け作業性が良好であり、併せて筐体の強度を向上させることの可能な携帯端末を提供することにある。
【課題を解決するための手段】
【０００９】
上記目的を達成するべく、本発明に関わる携帯端末は、筐体の内部にアンテナ部材を設置して成る携帯端末において、筐体の周壁に倣った形状を呈するホルダ部材にアンテナ部材を取り付けるとともに、上記ホルダ部材を当接させた状態で筐体の内部に固定することによって、筐体の内部にアンテナ部材を組み付けて成ることを特徴としている。
【発明の効果】
【００１０】
本発明に関わる携帯端末によれば、ホルダ部材を介してアンテナ部材を筐体の内部に組み付けているので、筐体(ケーシング)にアンテナ部材を直接に組み付けている従前の携帯端末に比べ、アンテナ部材の組み付け作業性を格段に向上させることが可能となり、併せてアンテナ部材を取り付けたホルダ部材を筐体に当接させた状態で該筐体の内部に固定したことで、上記ホルダ部材が梁として機能することによって筐体の強度が大幅に向上することとなる。
【発明を実施するための最良の形態】
【００１１】
以下、実施例を示す図面に基づいて、本発明を詳細に説明する。  
図１〜図８は、本発明を携帯端末の一態様である折畳み式の携帯電話機に適用した実施例を示しており、この携帯電話機１は、送話部や各種の操作部を備えた下筐体２と、受話部や液晶表示部等を備えた上筐体３とを具備し、これら下筐体２と上筐体３とはヒンジ部４を介して開閉自在に連結されている。
【００１２】
上記下筐体２は、互いに組み付けられる下内ケース２Ｉと下外ケース２Ｏとを具備しており、上記下内ケース２Ｉには、送話器や各種操作部の構成部品を搭載した回路基板(図示せず)が組み付けられている一方、上記下外ケース２Ｏには、背面側に開口する電池収容凹部２Ｂが形成され、この電池収容凹部２Ｂの開口はカバー２Ｃによって覆われている。
【００１３】
また、上記下筐体２の下外ケース２Ｏには、その内部にアンテナアセンブリ５が組み付けられており、このアンテナアセンブリ５は、図５(ａ)、(ｂ)に示す如く、ホルダブロック(ホルダ部材)１０と、このホルダブロック１０に取り付けられたアンテナ１１およびアンテナ１３とから構成されている。
【００１４】
上記ホルダブロック１０は、樹脂材料を用いて製造された部材であって、下外ケース２Ｏの周壁に倣った形状、具体的には下外ケース２Ｏの端壁２Ｏａに沿って延びる横ホルダ部１０Ａと、下外ケース２Ｏの側壁２Ｏｂに沿って延びる縦ホルダ部１０Ｂとから成る略Ｌ字形状を呈している。
【００１５】
一方、上記アンテナ１１およびアンテナ１３は、例えばステンレス鋼等の板金を用いて製造された部材であって、ダイバシティ用の１系アンテナ(アンテナ部材)１１は、上記横ホルダ部１０Ａに倣って延びる横アンテナ部１１ａと、上記縦ホルダ部１０Ｂに沿って延びる縦アンテナ部１１ｂと、これらアンテナ部１１ａ、１１ｂを連結する接続部１１ｃとから成り、上記横アンテナ部１１ａおよび縦アンテナ部１１ｂは、上記横ホルダ部１０Ａおよびホルダ部１０Ｂに夫々取り付けられている。
【００１６】
すなわち、上記ホルダブロック１０の横ホルダ部１０Ａには、上述した１系アンテナの横アンテナ部１１ａが、固定テープ(粘着テープ)１２を用いて固定設置されており、上記ホルダブロック１０の縦ホルダ部１０Ｂには、上述した１系アンテナの縦アンテナ部１１ｂが、固定テープ(粘着テープ)１５を用いて固定設置されている。
【００１７】
また、上記ホルダブロック１０の縦ホルダ部１０Ｂには、その端部にダイバシティ用の２系アンテナ(アンテナ部材)１３が取り付けられ、この２系アンテナ１３は、固定テープ(粘着テープ)１４を用いて上記縦ホルダ部１０Ｂに固定設置されている。
【００１８】
上述の如く構成されたアンテナアセンブリ５は、下外ケース２Ｏの端壁２Ｏａと電池収容凹部２Ｂの端壁２Ｂａとの間に画成された凹溝２Ｘに、上記ホルダブロック１０の横ホルダ部１０Ａが嵌め込まれるとともに、下外ケース２Ｏの側壁２Ｏｂと電池収容凹部２Ｂの側壁２Ｂｂとの間に画成された凹溝２Ｙに、上記ホルダブロック１０の縦ホルダ部１０Ｂが嵌め込まれ、上記下外ケース２Ｏに形成した爪と係合することで下外ケース２Ｏの所定位置に固定されている。
【００１９】
この状態において、アンテナアセンブリ５の横ホルダ部１０Ａは、図６に示す如く、端壁２Ｏａおよび端壁２Ｂａ等の凹溝２Ｘの内周面と当接しているともに、アンテナアセンブリ５の縦ホルダ部１０Ｂは、図７に示す如く、側壁２Ｏｂおよび側壁２Ｂｂ等の凹溝２Ｙの内周面と当接することで、下外ケース２Ｏの所定位置に固定されている。
【００２０】
また、下外ケース２Ｏに下内ケース２Ｉを組み付けた状態において、下外ケース２Ｏの所定位置に固定されたアンテナアセンブリ５におけるアンテナ１１およびアンテナ１３には、夫々回路基板(図示せず)に設けられた板バネ形状を呈する接点が(図示せず)が圧接しており、これによって回路基板(図示せず)上において構築された通信回路と、アンテナアセンブリ５におけるアンテナ１１およびアンテナ１３との接続が為されている。
【００２１】
上記構成の携帯電話機１を製造する際には、先ず、アンテナ１１およびアンテナ１３をホルダブロック１０の所定箇所に組み付け、固定テープ１２、１４、１５により固定設置してアンテナアセンブリ５を作成し、次いで、上記アンテナアセンブリ５を下外ケース２Ｏの所定箇所(凹溝２Ｘ、凹溝２Ｙ)に嵌め込んで固定する。
【００２２】
このように、上述した携帯電話機１によれば、ホルダブロック１０を介してアンテナ１１およびアンテナ１３を下外ケース２Ｏの内部に組み付けているので、筐体(ケーシング)にアンテナを直接に組み付けている従前の携帯端末に比べ、アンテナ部材の組み付け作業性を格段に向上させることができ、延いては携帯電話機１のセット全体の生産性を大幅に向上させることが可能となる。
【００２３】
また、上述した携帯電話機１によれば、アンテナアセンブリ５においてアンテナ１１およびアンテナ１３の取り付けられたホルダブロック１０を、下外ケース２Ｏに当接させて該下外ケース２Ｏの内部に固定したことで、上記ホルダブロック１０が梁として機能することによって、下外ケース２Ｏの強度が大幅に向上することとなり、もってセットとしての携帯電話機１の剛性を向上させることが可能となる。
【００２４】
さらに、樹脂材料から成るホルダブロック１０に、ステンレス鋼等の板金から成る各種アンテナ１１〜１５を組み付けたことで、上記ホルダブロック１０における強度の向上が期待でき、もって携帯電話機１の更なる剛性の向上を図ることが可能となる。
【００２５】
なお、上述した携帯電話機１において、アンテナアセンブリのホルダブロックを、例えば誘電性プラスチック等の適宜な誘電性を備えた材料から製造することも可能であり、かくすることでアンテナ部材の全長を増大した如き性能の向上が期待でき、アンテナ部材の実質的な長さを短く形成することによって、アンテナアセンブリの実装スペースを可及的に小さくすることができる。
【００２６】
ここで、誘電性を備えた材料からホルダブロックを製造した場合には、ホルダブロックとアンテナ部材とから成るアンテナアセンブリ自体がアンテナとして機能するので、アンテナアセンブリのホルダブロックを梁として機能させている構成は、すなわちアンテナそのものを補強部材として利用する構造であると言い換えることができる。
【００２７】
また、上述した実施例においては、アンテナユニットのホルダブロックを略Ｌ字形状に形成しているが、上記ホルダブロックの形状はアンテナアセンブリを収容する筐体の外形に応じて任意に設定し得ることは言うまでもない。
【００２８】
さらに、ホルダブロックに取り付けられるアンテナ部材の種類および個数も、実施例に限定されるものではなく、携帯電話機の仕様に基づいて適宜に設定し得ることは勿論である。
【００２９】
また、上述した実施例においては、固定テープ(粘着テープ)を用いてホルダブロックにアンテナ部材(アンテナ１１、１３)を固定設置しているが、例えばホルダブロックに係合爪を形成し、この係合爪によってアンテナ部材をホルダブロックに固定設置するように構成しても良い。
【００３０】
また、上述した実施例においては、本発明を携帯端末の一態様である折畳み式の携帯電話機に適用した例を示したが、各種タイプの携帯電話機あるいはコードレス電話機の子機等の無線通信機器に限らず、送受信機能を備えたＰＤＡ(パーソナル・データ・アシスタンス)等の様々な携帯端末においても、本発明が極めて有効に適用し得るものであることは勿論である。因みに、アンテナを用いた無線による情報伝達機能(通信機能)を具備したものであれば、送信機能あるいは受信機能のみを備えた携帯端末、例えばハンディＧＰＳ(グローバル・ポジショニング・システム)受信機等の携帯端末においても、本発明を有効に適用し得ることは言うまでもない。
【図面の簡単な説明】
【００３１】
【図１】(ａ)および(ｂ)は、本発明に関わる携帯端末の一実施例である折畳み式の携帯電話機を正面側および背面側から見た外観斜視図。
【図２】図１に示した携帯電話機の下外ケースに対するアンテナアセンブリの組付け態様を示す背面図。
【図３】図１に示した携帯電話機の下外ケースにアンテナアセンブリを組み付ける前の状態を下ケースの内方側から見た斜視図。
【図４】図１に示した携帯電話機の下外ケースにアンテナアセンブリを組み付けた後の状態を下ケースの内方側から見た斜視図。
【図５】(ａ)および(ｂ)は、図１に示した携帯電話機のアンテナアセンブリを示す分解斜視図および外観斜視図。
【図６】図２中の VI−VI 線断面図。
【図７】図２中の VII−VII 線断面図。
【図８】図２中の VIII−VIII 線断面図。
【符号の説明】
【００３２】
１…携帯電話機(携帯端末)、
２…下筐体、
２Ｉ…下内ケース、
２Ｏ…下外ケース、
２Ｂ…バッテリ収容部、
２Ｘ…凹溝、
２Ｙ…凹溝、
５…アンテナアセンブリ、
１０…ホルダブロック(ホルダ部材)、
１０Ａ…横ホルダ部、
１０Ｂ…縦ホルダ部、
１１…１系アンテナ(アンテナ部材)、
１３…２系アンテナ(アンテナ部材)、
１２、１４、１５…固定テープ。
【図１】
2006345191.tif 000003
【図２】
2006345191.tif 000004
【図３】
2006345191.tif 000005
【図４】
2006345191.tif 000006
【図５】
2006345191.tif 000007
【図６】
2006345191.tif 000008
【図７】
2006345191.tif 000009
【図８】
2006345191.tif 000010